(57)【要約】【課題】電気部品の取り外し作業を簡単化できるカセットブロックを提供する。【解決手段】電気部品４Ａ，Ｂを装着する電気部品装着部３１と、該電気部品装着部３１が設けられる本体部材３０と、を有するカセットブロック３において、前記本体部材３０を貫通し、かつ、一方側の開口が前記電気部品４Ａ，Ｂの外縁部に対面する貫通孔３２を有することを特徴とする。【選択図】図３
2007068275.tif 000002
【特許請求の範囲】
【請求項１】
電気部品を装着する電気部品装着部と、該電気部品装着部が設けられる本体部材と、を有するカセットブロックにおいて、
前記本体部材を貫通し、かつ、一方側の開口が前記電気部品の外縁部に対面する貫通孔を有することを特徴とするカセットブロック。
【請求項２】
前記貫通孔が、前記電気部品装着部に対する前記電気部品の着脱方向に延びるように形成していることを特徴とする請求項１に記載のカセットブロック。
【請求項３】
前記貫通孔が複数設けられており、これらの貫通孔が相異なる前記電気部品の外縁部に対面するように設けられていることを特徴とする請求項１又は２に記載のカセットブロック。
【請求項４】
前記本体部材が複数の電気部品装着部を設けるとともに、前記貫通孔の開口が複数の電気部品の外縁部に対面するように形成していることを特徴とする請求項１〜３の何れか１項に記載のカセットブロック。
【請求項５】
電気部品を装着する電気部品装着部と、該電気部品装着部が設けられる本体部材と、該本体部材を貫通し、かつ、一方側の開口が前記電気部品の外縁部に対面する貫通孔を有するカセットブロックから前記電気部品を取り外す電気部品の取り外し方法であって、
前記本体部材の貫通孔に取り外し治具を貫通させ、該取り外し治具の先端部を前記電気部品の外縁部に当接させ、その状態で取り外し治具を前記電気部品の取り外し方向に移動させることを特徴とする電気部品の取り外し方法。
【発明の詳細な説明】
【技術分野】
【０００１】
本発明は、移動体としての自動車などに搭載されるカセットブロック及び電気部品の取り外し方法に関する。
【背景技術】
【０００２】
移動体としての自動車には、一般に、ヘッドランプ及びテールランプなどのランプ類、スタータモータ及びエアコンディショナ用のモータ等のモータ類、などの多種多様な電子機器が搭載されている。
【０００３】
前述した多種多様な電子機器に電力を供給するために、前記自動車は、ジャンクションブロックを適宜箇所に配置してきた。前記ジャンクションブロックは、多数のヒューズやリレー等の各種の電気回路ユニットを集約して構成されている。
【０００４】
なお、ジャンクションブロックは、ヒューズ、リレー、ブスバーなどを有することもあることから、ヒューズブロック、リレーボックス、又は総称して電気接続箱とも呼ばれる。本明細書では、前述したヒューズブロック、リレーボックス、ジャンクションブロックを、総称して以下電気接続箱と呼ぶ。
【０００５】
電気接続箱は、外郭を形成する箱本体と、端子金具と、を備えている。箱本体の例えば上面には、前述したリレー、ヒューズやヒュージブルリンクなどの電気部品が装着される装着部が複数設けられている。また、箱本体の例えば下面には、前述した自動車に配索されるワイヤハーネスのコネクタが嵌合する。
【０００６】
ワイヤハーネスは、複数の電線と、該電線の端部などに取り付けられたコネクタとを備えている。コネクタは、前述した自動車に搭載される各種の電子機器や前述した箱本体に嵌合する。さらに、箱本体は、前述した装着部に装着される各種の電気部品と、ワイヤハーネスのコネクタの端子とを予め定められたパターンにしたがって接続するバスバなどを収容している。
【０００７】
端子金具は、厚手の導電性の板金からなり、平板状の電気接触部と、電線接続部とを一体に備えている。電気接触部には、ボルトのねじ部を通すことのできる孔又は切欠きが設けられている。電気接触部は、孔又は切欠き内にねじ部が通るボルトが箱本体の上面にねじ込まれるなどして、前述した箱本体に取り付けられる。
【０００８】
電線接続部は、前述した電気接触部から折り曲げられて、該電気接触部から立設している。電線接続部は、電源などと接続した電線を加締めるかしめ片などを備えている。電線接続部は、加締め片で電線を加締めて、該電線の芯線と接続する。
【０００９】
前述した電気接続箱は、電線が取り付けられた端子金具の電気接触部をボルトにより、前述した箱本体の上面に取り付ける。なお、このとき、端子金具の電線接続部及び該電線接続部に取り付けられた電線を、前記箱本体内に収容することなく該箱本体の外壁面に沿わしておく。
【００１０】
そして、各装着部に所望の電気部品を装着し、ワイヤハーネスのコネクタを箱本体の下面に嵌合する。こうして、前述した電気接続箱が組み立てられる。そして、電気接続箱は、電源などから供給される電源からの電力を、ヒュージブルリンク、ワイヤハーネスの電線などを介して前述した電子機器に供給する。
【００１１】
また、上述した電気接続箱としては、特許文献１に示す取付部から電気部品を簡単に取り外すことを可能としたものが知られている。この電気接続箱は、本体ケースの外面側に凹部を設け、その凹部１２の底面に電気部品を取り付けるための取付部１３を立設する。そして、取付部の側面に係止部材を変位可能に設け、係止部材の押圧部を凹部内に配置する。そして、係止部材に設けた係合部と電気部品に設けた被係合部との係合解除を、長尺治具によって行うことが記載されている（引用文献１参照）。
【特許文献１】特開２０００−２７０４４２号公報
【発明の開示】
【発明が解決しようとする課題】
【００１２】
上述したように電気接続箱においては、電気部品の取り外しに長尺治具等を用いることが知られているが、電気接続箱のケース本体内の奥まった位置に、電気部品が装着された装着部材が設けられると、長尺治具等を用いても電気部品を取り外すことが困難であった。特に、複数の電気部品を装着部材に密接した状態で装着している場合や、装着部材の電気部品に対する保持力が、例えば約１５０［Ｎ］等の高い値に設定されている場合では、電気部品の取り外しがより一層困難なものとなっていた。
【００１３】
よって本発明は、上述した問題点に鑑み、電気部品の取り外し作業を簡単化できるカセットブロック及び電気部品の取り外し方法を提供することを課題としている。
【課題を解決するための手段】
【００１４】
上記課題を解決するため本発明によりなされた請求項１記載のカセットブロックは、電気部品を装着する電気部品装着部と、該電気部品装着部が設けられる本体部材と、を有するカセットブロックにおいて、前記本体部材を貫通し、かつ、一方側の開口が前記電気部品の外縁部に対面する貫通孔を有することを特徴とする。
【００１５】
上記請求項１に記載した本発明のカセットブロックによれば、本体部材に貫通し、かつ、一方側の開口が電気部品の外縁部に対面する貫通孔を形成しているので、貫通孔の他方の開口から例えば棒状の取り外し治具等を貫通させると、その先端部が電気部品の外縁部に当接するため、そのまま取り外し治具等を押し上げることで、電気部品を取り外すことができる。
【００１６】
請求項２記載の発明は、請求項１に記載のカセットブロックにおいて、前記貫通孔が、前記電気部品装着部に対する前記電気部品の着脱方向に延びるように形成していることを特徴とする。
【００１７】
上記請求項２に記載した本発明のカセットブロックによれば、電気部品の着脱方向に延びるように貫通孔を本体部材に形成しているので、取り外し治具等を確実に電気部品の外縁部に当接させて押し上げることができる。
【００１８】
請求項３記載の発明は、請求項１又は２に記載のカセットブロックにおいて、前記貫通孔が複数設けられており、これらの貫通孔が相異なる前記電気部品の外縁部に対面するように設けられていることを特徴とする。
【００１９】
上記請求項３に記載した本発明のカセットブロックによれば、貫通孔を複数設けて、これらの貫通孔が相異なる電気部品の外縁部に対面するように設けているので、電気部品における外縁部の相異なる複数箇所に対して取り外し部材等を押し当てることができる。
【００２０】
請求項４記載の発明は、請求項１〜３の何れか１項に記載のカセットブロックにおいて、前記本体部材が複数の電気部品装着部を設けるとともに、前記貫通孔の開口が複数の電気部品の外縁部に対面するように形成していることを特徴とする。
【００２１】
上記請求項４に記載した本発明のカセットブロックによれば、貫通孔の開口が複数の電気部品の外縁部に対面するように形成しているので、複数の電気部品の外縁部に取り外し治具等を同時に押し当てることができる。
【００２２】
上記課題を解決するため本発明によりなされた請求項５記載の電気部品の取り外し方法は、電気部品を装着する電気部品装着部と、該電気部品装着部が設けられる本体部材と、該本体部材を貫通し、かつ、一方側の開口が前記電気部品の外縁部に対面する貫通孔を有するカセットブロックから前記電気部品を取り外す電気部品の取り外し方法であって、前記本体部材の貫通孔に取り外し治具を貫通させ、該取り外し治具の先端部を前記電気部品の外縁部に当接させ、その状態で取り外し治具を前記電気部品の取り外し方向に移動させることを特徴とする。
【００２３】
上記請求項５に記載した本発明の電気部品の取り外し方法によれば、カセットブロックの本体部材の貫通孔に取り外し治具が貫通すると、その先端部分は電気部品の外縁部に当接し、その状態で取り外し治具がさらに電気部品の取り外し方向に押されると、電気部品は電気部品装着部から押し上げられて取り外される。
【発明の効果】
【００２４】
以上説明したように請求項１に記載した本発明のカセットブロックによれば、本体部材に貫通し、かつ、一方側の開口が電気部品の外縁部に対面する貫通孔を形成していることから、貫通孔の他方の開口から例えば棒状の取り外し治具等を貫通させると、その先端部を電気部品の外縁部に当接させることができるため、そのまま取り外し治具等を押し上げることで、電気部品を取り外すことができる。従って、カセットブロックの電気部品装着部の電気部品に対する保持力が強い場合でも、電気部品の外縁部を押し上げることができるため、電気部品を容易に取り外すことが可能となり、取り外し作業を簡単化することができる。また、電気部品を手作業では取り外しが困難な奥まった位置等にカセットブロックが設けられても、電気部品を容易に取り外すことができるため、作業効率の向上を図ることができるとともに、カセットボックスの取付位置に自由度を持たせることができる。
【００２５】
請求項２に記載の発明によれば、請求項１に記載の発明の効果に加え、電気部品の着脱方向に延びるように貫通孔を本体部材に形成していることから、取り外し治具等を確実に電気部品の外縁部に当接させて押し上げることができるため、電気部品を確実に取り外すことができる。
【００２６】
請求項３に記載の発明によれば、請求項１又は２に記載の発明の効果に加え、貫通孔を複数設けて、これらの貫通孔が相異なる電気部品の外縁部に対面するように形成していることから、電気部品における外縁部の相異なる複数箇所に対して取り外し部材等を押し当てることができるため、電気部品が拗れて取り外し難くなることを防止することができる。
【００２７】
請求項４に記載の発明によれば、請求項１〜３の何れか１項に記載の発明の効果に加え、貫通孔の開口が複数の電気部品の外縁部に対面するように形成していることから、複数の電気部品の外縁部に取り外し治具等を同時に押し当てて複数の電気部品を同時に取り外すことができるため、取り外し作業の効率を向上させることができる。また、複数の電気部品を密集した状態で本体部材に装着する場合等に、多くの貫通孔を設ける必要がなくなり、カセットブロックの小型化を図ることができる。
【００２８】
以上説明したように請求項５に記載した本発明の電気部品の取り外し方法によれば、カセットブロックの本体部材の貫通孔に取り外し治具を貫通して、その先端部分を電気部品の外縁部に当接させ、その状態で取り外し治具を電気部品の取り外し方向に移動させて、電気部品を電気部品装着部から押し上げらて取り外すようにしたことから、カセットブロックの電気部品装着部の電気部品に対する保持力が強い場合でも、電気部品の外縁部を押し上げることができるため、電気部品を容易に取り外すことが可能となり、取り外し作業を簡単化することができる。また電気部品を手作業では取り外しが困難な奥まった位置等にカセットブロックが設けられても、電気部品を容易に取り外すことができるため、作業効率の向上を図ることができるとともに、カセットボックスの取付位置に自由度を持たせることができる。
【発明を実施するための最良の形態】
【００２９】
以下、本発明の一実施形態にかかる電気接続箱を図１ないし図４の図面に基づいて説明する。図１は本発明の一実施形態に係るカセットブロックを有する電気接続箱の外観を示す斜視図である。図２は図１に示された電気接続箱を分解して示す斜視図である。図３は図２に示されたカセットブロックと取り外し治具との関係例を示す斜視図である。図４は図３に示されたカセットブロックの部分断面図である。図５は図３に示されたカセットブロックの上面図である。図６はカセットブロックに対する貫通孔の他の例を示すカセットブロックの上面図である。
【００３０】
本実施形態にかかる図１に示す電気接続箱１は、移動体としての自動車に搭載される。電気接続箱１は、図１〜図５に示すように、ケース本体である箱本体２と、接続部材であるカセットブロック３と、ロアカバー５と、アッパーカバー６と、を有している。
【００３１】
箱本体２は、例えば、ポリプロピレンテレフタレート等の絶縁性の合成樹脂からなり、周知の射出成形により成形される。箱本体２は、複数のフレーム７により、略筒状（箱状）に形成されている。箱本体２には、カセットブロック３、フュージブルリンク３Ａ等を装着する複数の装着部８が設けられている。装着部８の各々は、箱本体２の外壁及び仕切板等を構成する複数のフレーム部材７によって囲まれた空間である。装着部８の図１及び図２では上下に位置する両端は、開口している。また、箱本体２の装着部８の内面には、カセットブロック３の係止部１０が係止する図示しない係止受け部が設けられている。箱本体２の外壁には、ロアカバー５の後述する係止部５２と係止される係止部２３が複数設けられている。
【００３２】
カセットブロック３は、本体部材３０と、電気部品装着部３１と、貫通孔３２と、を有している。本体部材３０は、前記装着部８内に収容可能な大きさの箱状に合成樹脂等によって形成されている。本体部材３０は、装着部８図１及び図２中の下方側の開口を通して、この装着部８内に挿入される。本体部材３０には、複数（図３では６つ）の電気部品装着部３１と、複数の係止部１０とが設けられている。
【００３３】
係止部１０は、本体部材３０の外表面から凸に形成されており、前述した箱本体２に設けられた係止受け部に係止する。カセットブロック３は、前述した開口を通して、装着部８内に挿入される。そして、カセットブロック３は、係止部１０が係止受け部に係止して、箱本体２に固定される。こうして、カセットブロック３は、装着部８内に収容された状態で、箱本体２に固定される。
【００３４】
電気部品装着部３１は、図３では上側に位置する本体部材３０の上面３０ａに突出して設けられ、本体部材３０内に設けられた直線状の空間を有している。電気部品装着部３１は、の長手方向は、互いに平行に設けられ、カセットブロック３が装着部８内に挿入される方向に沿っている。電気部品装着部３１の図３中に上下に位置する両端は、開口している。
【００３５】
電気部品装着部３１は、リレー４Ａ，Ｂが嵌合圧入されると、そこから抜く際に所定の保持力（例えば１４７ニュートンなど）となるように、図示しない圧入端子等によって固定される。そして、図３乃至図５では下側、つまり、電気部品４の取付面とは反対側から図示しない電線を、電気部品装着部３１にコネクタ等を介して取り付けられることで、電気部品４の端子の各々と前記電線が電気的に接続される。
【００３６】
貫通孔３２は、本体部材３０を貫通し、かつ、一方側の開口がリレー４Ａ，Ｂの外縁部４１に対面するように形成されている。そして、円柱状の取り外し棒７０の先端部７１が、必ず一対のリレー４Ａ及び一対のリレー４Ｂの相対する外縁部４１の角部近傍に当接するように、リレー４Ａ，Ｂの取り外し方向Ｔに向かって延びる貫通孔３２は、本体部材３０の上面３０ａに形成している。なお、リレー４Ａ，Ｂの外縁部４１としては、側面部分等でもよい。
【００３７】
このように、リレー４Ａ，Ｂの着脱方向に延びるように貫通孔３２を本体部材３０に形成していることから、取り外し治具７０を確実にリレー４Ａ，Ｂの外縁部４１に当接させて押し上げることができるため、リレー４Ａ，Ｂを確実に電気部品装着部３１から取り外すことができる。
【００３８】
なお、本最良の形態では、カセットブロック３の長手方向における中央部に位置する２つのリレー４Ａと２つのリレー４Ｂに対応させて２つの貫通孔３２を形成する場合について説明するが、例えば、全てのリレー４Ａ，Ｂに対応させて貫通孔３２を形成するなど種々異なる形態とすることができる。
【００３９】
貫通孔３２の断面形状は、貫通する取り外し治具７０の断面と略同一の円形に形成しているが、本発明はこれに限定するものではなく。取り外し治具７０に応じた断面形状にする、取り外し治具７０とは異なる貫通可能な断面形状にするなど種々異なる断面形状とすることができる。
【００４０】
このように、カセットブロック３の本体部材３０に貫通し、かつ、一方側の開口がリレー４Ａ，Ｂの外縁部４１に対面する貫通孔３２を形成していることから、貫通孔３２の他方の開口から棒状の取り外し治具７０を貫通させると、その先端部７１を電気部品の外縁部に当接させることができるため、そのまま取り外し治具７０を押し上げることでリレー４Ａ，Ｂを取り外すことができる。
【００４１】
ロアカバー５は、箱本体２と同様に、絶縁性の合成樹脂からなり、周知の射出成形により成形される。ロアカバー５は、互いに異なる複数の外壁５１を備えて、有底筒状に形成されている。ロアカバー５の外壁５１には、前述した箱本体２の係止部２３と係止する係止部５２が複数設けられている。ロアカバー５は、箱本体２に重ねられるようにして互いに近づけられ、係止部５２が箱本体２の係止部２３に係止して、箱本体２の前述した下面を覆うように、箱本体２に取り付けられる。
【００４２】
アッパーカバー６は、箱本体２と同様に、絶縁性の合成樹脂からなり、周知の射出成形により成形される。アッパーカバー６は、箱本体２の上面と略同一形状の蓋状に形成されている。アッパーカバー６の縁部には、箱本体２の係止部２６と係止する係止部６１が設けられている。アッパーカバー６は、箱本体２に重ねられるようにして互いに近づけられ、係止部６１が箱本体２の係止部２６に係止して、箱本体２の前述した上面を覆うように、箱本体２に取り付けられる。
【００４３】
カセットブロック３の貫通孔３２を貫通する取り外し治具７０は、合成樹脂等によって円柱状に形成している。なお、取り外し治具７０は、その断面形状が三角形、四角形多角形などの種々異なる形状とすることができる。取り外し治具７０の長さは、本体部材３０を貫通して、リレー４Ａ，Ｂを押し上げるのに十分な長さであればよい。
【００４４】
次に、上述した構成のカセットブロック３からリレー４Ａ，Ｂは以下のように取り外される。まず、ロアカバー５とアッパーカバー６が、カセットブロック３からリレー４Ａ，Ｂの取り外し作業時に箱本体２から取り外される。そして、リレー４Ａを取り外す場合、図３又は図４に示すように、そのリレー４Ａに対応する本体部材３０の貫通孔３２に取り外し治具７０を貫通させ、該取り外し治具７０の先端部７１を、２つのリレー４Ａの外縁部４１に当接させる。そして、その状態で取り外し治具７０を２つのリレー４Ａの取り外し方向Ｔに移動させることで、２つのリレー４Ａを押し上げて電気部品装着部３１から取り外す。
【００４５】
同様に、リレー４Ｂを取り外す場合、そのリレー４Ｂに対応する本体部材３０の貫通孔３２に取り外し治具７０を貫通させ、該取り外し治具７０の先端部７１を、２つのリレー４Ｂの外縁部４１に当接させる。そして、その状態で取り外し治具７０を２つのリレー４Ａの取り外し方向Ｔに移動させることで、２つのリレー４Ｂを押し上げて電気部品装着部３１から取り外す。
【００４６】
以上説明したように、カセットブロック３によれば、カセットブロック３の本体部材３０の貫通孔３２に取り外し治具７０を貫通して、その先端部７１をリレー４Ａ，Ｂの外縁部４１に当接させ、その状態で取り外し治具７０をリレー４Ａ，Ｂの取り外し方向Ｔに移動させて、リレー４Ａ，Ｂを電気部品装着部３１から押し上げらて取り外すようにしたことから、カセットブロック３の電気部品装着部３１のリレー４Ａ，Ｂに対する保持力が強い場合でも、リレー４Ａ，Ｂの外縁部４１を押し上げることができるため、電気部品を容易に取り外すことが可能となり、取り外し作業を簡単化することができる。また、リレー４Ａ，Ｂを手作業では取り外しが困難な電気接続箱１の奥まった位置にカセットブロック３が設けられても、リレー４Ａ，Ｂを容易に取り外すことができるため、作業効率の向上を図ることができるとともに、カセットボックス３の取付位置に自由度を持たせることができる。
【００４７】
また、電気接続箱１がカセットブロック３を着脱自在に有するように構成すれば、カセットブロック３を電気接続箱１から取り外した状態で取り外し作業を行うことができるため、作業効率をより一層向上させることができる。
【００４８】
なお、上述した本最良の形態では、貫通孔３２が２つの電気部品の外縁部に対面するように形成している場合について説明したが、本発明はこれに限定するものではなく、それ以上の電気部品の外縁部に貫通孔を対面させる形態とすることもできる。
【００４９】
例えば、図６に示すように、上述した貫通孔３２が２つのリレー４Ｂの外縁部４１に対面するとともに、その貫通孔３２よりも外形の大きな貫通孔３２ａが、４つのリレー４Ａの外縁部４１に対面するように本体部材３０に形成することもできる。さらに、図６の貫通孔３２を貫通孔３２ａに変更して、その貫通孔３２ａによって２つのリレー４Ａと２つのリレー４Ｂの全ての外縁部４１と対面させるようにしてもよい。
【００５０】
このように、貫通孔３２ａの開口が複数（図６では４つ）のリレー４Ａの外縁部４１に対面するように形成していることから、複数のリレー４Ａの外縁部４１に取り外し治具７０を同時に押し当てて複数のリレー４Ａを同時に取り外すことができるため、取り外し作業の効率を向上させることができる。また、複数のリレー４Ａを密集した状態で本体部材３０に装着する場合等に、多くの貫通孔を設ける必要がなくなり、カセットブロック３０の小型化を図ることができる。
【００５１】
さらに、１つのリレー４Ａ，Ｂに対して、上述した貫通孔３２を複数設けて、例えば、リレー４Ａ，Ｂの長手方向における両側面側の外縁部、対角線上の２つの角部に対応した外縁部などというように、これらの貫通孔３２が相異なるリレー４Ａ，Ｂの外縁部４１に対面するように形成する。このような構成とすることで、電気部品における外縁部の相異なる複数箇所に対して取り外し部材等を押し当てることができるため、電気部品が拗れて取り外し難くなることを防止することができる。
【図面の簡単な説明】
【００５２】
【図１】本発明の一実施形態に係るカセットブロックを有する電気接続箱の外観を示す斜視図である。
【図２】図１に示された電気接続箱を分解して示す斜視図である。
【図３】図２に示されたカセットブロックと取り外し治具との関係例を示す斜視図である。
【図４】図３に示されたカセットブロックの部分断面図である。
【図５】図３に示されたカセットブロックの上面図である。
【図６】カセットブロックに対する貫通孔の他の例を示すカセットブロックの上面図である。
【符号の説明】
【００５３】
１  電気接続箱
２  箱本体
３  カセットブロック
４Ａ，Ｂ  リレー（電気部品）
３０  本体部材
３１  電気部品装着部
３２  貫通孔
【図１】
2007068275.tif 000003
【図２】
2007068275.tif 000004
【図３】
2007068275.tif 000005
【図４】
2007068275.tif 000006
【図５】
2007068275.tif 000007
【図６】
2007068275.tif 000008